(57)【要約】【課題】多面体壁を構成する単位パネルの復元音を大きくし、単位パネルが復元する視覚的効果と同時に聴覚的効果を加えた陽圧缶を提供する。【解決手段】缶胴の少なくとも一部に凸状の境界稜線によって区画された多数の単位パネルで構成される多面体壁を有する陽圧缶において、前記単位パネルの最大デプス変化量の最大値が、０．７５ｍｍ以上１．２ｍｍ以下、または、最大デプス変化量が０．４ｍｍ以上の前記単位パネルについての最大デプス変化量の平均値が、０．５４ｍｍ以上０．７５ｍｍ以下の範囲に設定されているに設定されていることを特徴とする。【選択図】図４
2019131294.tif 000002
【特許請求の範囲】
【請求項１】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．７５ｍｍ以上１．２ｍｍ以下に設定されていることを特徴とする陽圧缶。
【請求項２】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
最大デプス変化量が０．４ｍｍ以上の前記単位パネルについての最大デプス変化量の平均値が、０．５４ｍｍ以上０．７５ｍｍ以下の範囲に設定されていることを特徴とする陽圧缶。
【請求項３】
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．７５ｍｍ以上１．２ｍｍ以下に設定され、かつ、最大デプス変化量が０．４ｍｍ以上の前記単位パネルについての最大デプス変化量の平均値が、０．５４ｍｍ以上０．７５ｍｍ以下の範囲に設定されていることを特徴とする陽圧缶。
【請求項４】
前記復元音の音圧レベルが、前記缶胴から４０ｃｍ離れた位置において、７５ｄＢ以上に設定されていることを特徴とする請求項１乃至３のいずれか１項に記載の陽圧缶。
【請求項５】
前記多面体壁は、缶胴の面積の２５％以上である請求項１乃至４のいずれか１項に記載の陽圧缶。
【請求項６】
前記単位パネルは前記境界稜線としての斜め稜線によって区画される菱形形状で、前記缶胴の中心軸線を通る中心面上に位置する２つの頂点と、中心面に対して対称位置に位置する２つの頂点の計４つの頂点を有し、内圧が加わらない自由状態で、前記中心面に対して対称位置に位置する頂点を結ぶ谷折りの横稜線によって、前記缶胴の内方に屈曲して窪んだ構成となっており、
前記最大デプス変化量は、前記横稜線の中点における単位パネルデプスの変化量である請求項１乃至５のいずれか１項に記載の陽圧缶。
【請求項７】
前記多面体壁は、複数の前記単位パネルが前記缶胴の中心軸線と平行方向に並んだ単位パネル列が、前記缶胴の周方向に全周的に密に配列された構成で、
前記単位パネルの横稜線を通る断面の角数が、１１角から１２角の範囲に設定されている請求項６に記載の陽圧缶。
【請求項８】
前記単位パネルの面積は、１３０ｍｍ２以上で１８０ｍｍ２以下に設定されている請求項７に記載の陽圧缶。
【請求項９】
前記最大デプス変化量は、開封前の内圧が２０〜３００ｋＰａにおける最大デプス変化量である請求項１乃至８のいずれか１項に記載の陽圧缶。
【請求項１０】
前記開封前の内圧が１２０〜１５０ｋＰａである請求項９に記載の陽圧缶。
【発明の詳細な説明】
【技術分野】
【０００１】
本発明は、たとえば、ビール、酎ハイ等の炭酸系飲料用の缶、内容物の酸化を防ぐ不活性ガスが封入された缶等、缶胴に内圧が作用する陽圧缶に関し、特に、缶胴に複数の単位パネルによって構成される多面体壁を有し、密封状態では単位パネルが内圧によって外側に膨らみ、開封時に元の形状に復元し、復元する際に復元音を発する陽圧缶に関する。
【背景技術】
【０００２】
従来のこの種の陽圧缶としては、たとえば、特許文献１に記載のような陽圧缶が知られている。
この陽圧缶は、缶胴を有する缶本体と、缶本体を陽圧状態で密閉する缶蓋とを備え、缶胴の少なくとも一部に多面体壁を有し、多面体壁は凸条の境界稜線で区画された折り構造の多数の単位パネルで構成されている。単位パネルは、缶胴を部分的に窪ませた形状で、缶胴に作用する内圧によって窪みが小さくなる方向に弾性変形し、缶蓋の開封時に元の窪んだ形状に復元するようになっている。
このように、内容物を密封した状態では、内圧によって単位パネルの窪みによる凹凸が小さく、開封すると、窪み形状が復元し、缶胴の剛性を向上させると共に、視覚的に使用者に強い印象を与え、商品価値を高めるものであった。
【先行技術文献】
【特許文献】
【０００３】
【特許文献１】特許第３９１５４５０号公報
【発明の概要】
【発明が解決しようとする課題】
【０００４】
本発明者等は、この多面体壁を有する陽圧缶の商品価値をさらに高めるべく、鋭意研究した結果、開封時に単位パネルの形状が元の形状に復元する際に聞こえる復元音に着目した。
現行の製品についても、復元音が聞こえているものの、プルタブによる缶蓋の引き裂き音と、ガスが抜ける際のガス放出音が大きく先に聞こえ、その後に復元音が聞こえるために、使用者の注意を引き難い。検討の結果、単位パネル復元時のデプス変化量が復元音と関係があるということがわかった。
本発明の目的は、多面体壁を構成する単位パネルの復元音を大きくし、単位パネルが復元する視覚的効果と同時に聴覚的効果を加えた陽圧缶を提供することにある。
【課題を解決するための手段】
【０００５】
上記目的を達成するために、本発明は、
缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．７５ｍｍ以上１．２ｍｍ以下に設定されていることを特徴とする。
単位パネルは、全周が境界稜線で囲まれている必要はなく、単位パネルの少なくとも一部が境界稜線で区画されている場合も含まれる。
本発明によれば、前記各単位パネルの最大デプス変化量の最大値を０．７５ｍｍ以上に制御することによって、ガス放出音が聞こえた後でも、十分に聞き取りやすい大きさの復
元音を生じさせることができる。これにより、単位パネルが復元する視覚的効果と同時に聴覚的効果が加わり、相乗的に凹凸が現れる際の効果を高めることができる。特に、最大デプス変化量が大きく変化し、視覚的に変化が際立つので、注意を惹かれ、音についても敏感になって復元音を聞き取る効果が高い。また、最大デプス変化量を大きくするには単位パネルを大きくする必要があり、深さに加えて大きい単位パネルが大きく変化することにより視覚的効果を高めることができる。一方、単位パネルを大きくすると、空缶時の軸荷重強度が低下する傾向にあり、最大デプス変化量の最大値の上限を１．２ｍｍ以下とすることにより、空缶時の軸荷重強度を維持することができる。
また、他の発明は、缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
最大デプス変化量が０．４ｍｍ以上となる前記単位パネルについての最大デプス変化量の平均値が、０．５４ｍｍ以上０．７５ｍｍ以下の範囲に設定されていることを特徴とする。
一部の単位パネルは開封時に復元しない場合があるため、最大デプス変化量が０．４ｍｍ未満の単位パネルを除くことにより、復元しない単位パネルの影響を除外することができ、多面体壁の復元形態を、正確に評価することができる。
このように平均値を用いることで、最大デプス変化量を安定して評価でき、一定以上の安定した復元音が得られる陽圧缶を実現できる。
空缶時の軸荷重強度については、最大値で評価する場合の上限値１．２ｍｍに対して、平均値で０．７５ｍｍ程度に設定しておけばよい。
また、さらに他の発明は、缶胴を有する缶本体と、該缶本体を陽圧状態で密閉する缶蓋とを備え、前記缶胴の少なくとも一部に凸状の境界稜線によって区画された多数の単位パネルで構成される多面体壁を有し、前記単位パネルは、自由状態では缶胴の内方に窪んだ形状で、前記缶胴に作用する内圧によって窪みが小さくなる方向に変形し、缶蓋の開封時に元の形状に復元し、復元する際に復元音を発する構成の陽圧缶において、
前記単位パネルの最大デプス変化量の最大値が、０．７５ｍｍ以上１．２ｍｍ以下に設定され、かつ、最大デプス変化量が０．４ｍｍ以上となる前記単位パネルについての最大デプス変化量の平均値が、０．５４ｍｍ以上０．７５ｍｍ以下の範囲に設定されていることを特徴とする。
このように最大デプス変化量の最大値と平均値を用いることにより、最大デプス変化量が安定し、しかも最大値が大きく、より大きな復元音が得られる陽圧缶を実現できる。
【０００６】
また、本発明は次のように構成することができる。
１）陽圧缶の開封時の前記復元音の音圧レベルを、前記缶胴から４０ｃｍ離れた位置において、７５ｄＢ以上に設定する。
ガス放出音は７０ｄＢ程度であり、７５ｄＢ程度あれば、ガス放出音の後でも十分に聞き取れる音のレベルとなる。
２）多面体壁は、缶胴の面積の２５％以上とする。
このようにすれば、効果的に音圧レベルを上げることができる。
３）単位パネルは前記境界稜線としての斜め稜線によって区画される菱形形状で、前記缶胴の中心軸線を通る中心面上に位置する２つの頂点と、中心面に対して対称位置に位置する２つの頂点の計４つの頂点を有し、内圧が加わらない自由状態で、前記中心面に対して対称位置に位置する頂点を結ぶ谷折りの横稜線によって、前記缶胴の内方に屈曲して窪んだ構成となっており、前記最大デプス変化量は、前記横稜線の中点における単位パネルデプスの変化量とする。
このようにすれば、内圧で中央が膨らむように変形していた横稜線が一気に元の形状に戻るので、鮮明な復元音を生成することができる。なお、単位パネルが完全に弾性復元す
る場合だけでなく、一部塑性変形して、完全には元の形状に戻らない場合も含まれる。
４）前記多面体壁は、複数の前記単位パネルが前記缶胴の中心軸線と平行方向に並んだ単位パネル列が、前記缶胴の周方向に全周的に密に配列された構成で、前記単位パネルの横稜線を通る断面の角数が、１１角から１２角の範囲に設定されている。
１２角より大きいと、単位パネルの大きさが小さくなるために、最大デプス変化量が小さくなる。一方、１１角より小さいと、単位パネルの面積が大きくなり、最大デプス変化量が大きくなるものの、空缶時の軸荷重強度が維持できなくなる。
５）単位パネルの面積は、１３０ｍｍ２以上で１８０ｍｍ２以下に設定される。
１３０ｍｍ２より小さいと、変形しにくくなるので、最大デプス変化量が小さくなり、１８０ｍｍ２より大きいと、最大デプス変化量は大きくなるものの、空缶時の軸荷重強度が維持できなくなる。
６）最大デプス変化量は、開封前の内圧が２０〜３００ｋＰａにおける最大デプス変化量、好適には１２０〜１５０ｋＰａとする。
本発明は、最大デプス変化量と復元音の間に一定の関係があることを見出したもので、内圧の好適な範囲としては、内圧作用時に、単位パネルの窪みが円筒に近くなるまで十分に変形させ、しかも塑性変形をできるだけ生じさせず、内圧開放時に元の窪み形状まで復帰させる程度の範囲であり、好ましい範囲としては２０〜３００ｋＰａ、より好ましい範囲としては、１２０〜１５０ｋＰａとする。
内圧が高くなると、内圧作用状態のパネルデプスが浅くなり、内圧開放状態のパネルデプスとの差が大きくなり、結果的に最大デプス変化量は大きくなる。最大デプス変化量は空缶デプスやパネルサイズによっても変わる。
様々な要因で最大デプス変化量が決まり、その最大デプス変化量が復元音に関係する。
この内圧の条件設定は、陽圧缶の使用範囲を制限するものではなく測定時の条件を設定するものである。たとえば、１２０ｋＰａより低圧、あるいは１５０ｋＰａより高圧で使用されているとしても、この圧力範囲で測定したときに、この範囲となるものを含むものとする。
【発明の効果】
【０００７】
本願発明によれば、多面体壁を構成する単位パネルの復元音を大きくし、単位パネルが復元する視覚的効果と同時に聴覚的効果を加えた陽圧缶を実現することができる。
【図面の簡単な説明】
【０００８】
【図１】図１は、本発明の実施の形態１に係る陽圧缶を示すもので、（Ａ）は内圧作用状態の正面図、（Ｂ）は内圧開放状態の正面図、（Ｃ）は（Ｂ）のＣ部の拡大概略斜視図、（Ｄ）は（Ｂ）のＤ−Ｄ線断面図である。
【図２】図２は、図１の陽圧缶の単位パネルを示すもので、（Ａ）は正面図、（Ｂ）は（Ａ）のＢ−Ｂ線断面図、（Ｃ）は（Ａ）のＣ−Ｃ線断面図である。
【図３】図３（Ａ）は、本発明の陽圧缶の最大デプス変化量の測定方法を示す図、（Ｂ）は陽圧缶の復元音の測定方法を示す図である。
【図４】図４（Ａ）は単位パネルの最大デプス変化量の最大値と復元音の関係、（Ｂ）は０．４ｍｍ以上の最大デプス変化量の平均値と復元音の関係を示すグラフである。
【図５】図５（Ａ）は全ての単位パネルの最大デプス変化量の平均値と復元音の関係、（Ｂ）は０．３ｍｍ以上の最大デプス変化量の平均値と復元音の関係を示すグラフである。
【発明を実施するための形態】
【０００９】
以下に本発明を図示の実施形態に基づいて詳細に説明する。
この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
［実施形態１］
図１は、本発明の実施形態１に係る陽圧缶を示すもので、図１（Ａ）は内圧作用状態、図１（Ｂ）は内圧開放状態を示している。
陽圧缶１は、缶胴２１を有する有底筒状の缶本体２と、缶本体２を陽圧状態で密閉する缶蓋３とを備え、缶胴２１の少なくとも一部に多面体壁４を有している。缶本体２は、ストレートに延びる円筒形状の缶胴２１と、缶胴２１の上端の径を絞ったネック部２２と、底部２３とを有する構成で、ネック部２２上端の口部に缶蓋３が巻締め固定されている。
陽圧缶１は、アルミ合金製の絞りしごき缶であり、一般的に、その容量は１６０ｍｌ〜５００ｍｌ、５℃における缶内圧が２０〜３００［ｋＰａ］、缶胴２１の板厚が０．０７５〜０．１３５［ｍｍ］、缶胴径が５０〜７０［ｍｍ］、缶高さが９０〜１７０［ｍｍ］の範囲で使用されている。
【００１０】
多面体壁４は、缶胴２１の周長は変化させずに折り構造によって凹凸形状としたもので、斜め稜線５１の折り目で区画された多数の単位パネル５で構成されている。すなわち、所定数の単位パネル５が缶胴２１の中心軸線Ｎと平行方向（以下、単に軸方向という）に配列されてパネル列５０を構成し、このパネル列５０が缶胴２１の周方向に全周的に配列された構成となっている。互いに隣り合うパネル列５０の単位パネル５の軸方向の位相は、単位パネル５の軸方向の長さの半分だけずらして配列され、単位パネル５が軸方向及び周方向に密に配列されている。
多面体壁４は、この例では、缶胴２１の軸方向中途部分に、帯状に設けられ、多面体壁４の上部及び下部領域は、凹凸の無い円筒面となっている。多面体壁４の面積は、図示例では缶胴に対して５０％程度となっているが、復元音を考慮し、缶胴の２５％以上とすることが、好適である。
【００１１】
図１（Ｃ）は、図１（Ｂ）のＣ部拡大図である。
単位パネル５は、内圧が作用しない自由状態（空缶時及び内圧解放時）では、缶胴２１の中心軸線Ｎと直交する面上に位置する谷折りの横稜線５２を境界として缶内部に向かって、くの字状に屈曲するように窪んでいる。隣り合うパネル列５０は、単位パネル５の長さの半分だけ軸方向にずれているので、周方向に一つ置きに位置するパネル列５０の単位パネル５は、軸方向に同一位相にあり、横稜線５２が、共通する頂点５３を介してつながっている。したがって、単位パネル５の横稜線５２の位置で、缶胴２１の中心軸線Ｎと直交方向に切断した断面は、図１（Ｄ）に示すように、正多角形状となる。図示例では、１２角形状となっているが、１２角形に限定されない。なお、頂点５３の角は、面取りされている。また、横稜線５２については、図示例では直線状に記載しているが、空缶時及び内圧解放時に、±０．５ｍｍ程度、缶内方に凸の円弧状、あるいは缶外方に凸の円弧状等の曲線形状となっていてもよい。
内圧作用状態では、個々の単位パネル５は、缶胴２１に作用する内圧によって、図１（Ｃ）の二点鎖線で示すように、横稜線５２が缶胴の円筒面に倣った円弧状に変形する。斜め稜線５１についても、缶胴２１の円筒面に倣うように変形するが、図１（Ｃ）では、簡易的に直線として記載している。
そして、缶蓋３のタブ６を引き起こして開封すると、開封部から内部のガスが放出されてガス放出音が生じると共に、個々の単位パネル５の斜め稜線５１及び横稜線５２が直線形状に瞬間的に復元し、凹凸形状が現れると共に、その衝撃によって復元音が発生する。
復元音の大きさを決定する要因は、単位パネル５の形状、面積、板厚等、種々の要因が考えられるが、本発明者等は、鋭意検討した結果、単位パネル５の形状の、デプスの変化量である最大デプス変化量と相関関係があることを見出した。
【００１２】
以下、図２を参照して、単位パネル５の最大デプス変化量について説明する。
図２（Ａ）は、単位パネル５の正面図、（Ｂ）は（Ａ）のＢ−Ｂ線断面図、（Ｃ）は（Ａ）のＣ−Ｃ線断面図である。図２（Ｂ），（Ｃ）において、破線は内圧作用状態、実線
が内圧解放時の復元状態を示している。
この実施形態１における単位パネル５のパネルデプスは、頂点５３ａと頂点５３ｃを結ぶ線から、横稜線５２の中点ｍまでの、缶胴２１の中心軸線Ｎと直交方向の距離であり、最大デプス変化量ｄｍａｘは、内圧作用状態および内圧開放状態における前記パネルデプスの変化量である。
単位パネル５は、図２（Ａ）に示すように、４つの斜め稜線５１によって区画される菱形形状で、４つの斜め稜線５１をフレームとするドラムのように振動し、この振動によって空気が振動して復元音が発現する。
この単位パネル５は、缶胴２１の中心軸線Ｎを通る中心面Ｍ上に位置する２つの頂点５３ａ、５３ｃと、中心面Ｍに対して対称位置に位置する２つの頂点５３ｂ、５３ｄの計４つの頂点を有している。これら４つの頂点５３ａ〜５３ｄは、缶胴２１を構成する円筒面とほぼ一致する仮想円筒面Ｙ（図２（Ｂ）中、二点鎖線で示す）上に位置し、内圧が加わらない自由状態で、中心面Ｍに対して対称位置に位置する頂点５３ｂ、５３ｄを結ぶ谷折りの横稜線５２によって、図２（Ｂ）の実線で示すように、くの字状に缶胴２１の内方に屈曲して窪んだ構成となっている。
内圧作用状態では、図２（Ｂ）に破線で示すように、上方三角形部分５Ａと下方三角形部分５Ｂが、軸方向に延ばされるように変形し、横稜線５２の中点ｍが、上下の頂点５３ａ，５３ｃを結ぶ線に近い位置まで変位する。横断面で見ると、図２（Ｃ）に破線で示すように、円弧状に変形している。
一方、内圧が開放されると、図２（Ｂ）に実線で示すように、単位パネル５は、くの字形状に復元し、横稜線５２の中点ｍは最深部に戻る。横断面で見ると、図２（Ｃ）に示すように、破線の円弧状から実線の直線状に復元する。
この中点ｍが単位パネル５の最も大きく変位する部分で、この中点ｍにおけるパネルデプスの変化量を最大デプス変化量ｄｍａｘとし、全単位パネル５の最大デプス変化量ｄｍａｘの最大値で評価して、最大デプス変化量ｄｍａｘの最大値が、０．７５ｍｍ以上１．２ｍｍ以下に設定される。
【００１３】
最大デプス変化量ｄｍａｘが小さいと復元音の大きさは小さく、直前のガス放出音に紛れてしまうが、全単位パネルの最大デプス変化量ｄｍａｘの最大値を０．７５ｍｍ以上に設定することによって、ガス放出音の後でも、十分に聞き取りやすい復元音を生じさせることができる。
開放時時における多面体壁の各単位パネルの復元音については、実験によれば、開封時の復元音の音圧レベルが、缶胴から４０ｃｍ離れた位置において、７５ｄＢ程度以上とすることができた。ガス放出音は７０ｄＢ程度であり、十分に聞き取れる音のレベルとなる。
一方、最大デプス変化量ｄｍａｘを大きくすると復元音が鳴りやすくなるものの、単位パネル５の横稜線５２の深さが深くなるので、空缶時における軸荷重強度が低下してしまう。最大デプス変化量の最大値の上限が１．２ｍｍ以下であれば、空缶時の軸荷重強度を維持しつつ、復元音を大きくすることができる。
また、最大デプス変化量が０．４ｍｍ以上の単位パネルについての最大デプス変化量ｄｍａｘの平均値が、０．５４ｍｍ以上０．７５ｍｍ以下に設定することもできる。
このように平均値を用いれば、各単位パネルの最大デプス変化量を平均化して評価できる。一部の単位パネルでは完全に復元しない場合もあるため、最大デプス変化量が０．４ｍｍ未満の単位パネルを除いた平均値をとることにより、完全に復元しない単位パネルの影響を除外することができる。
また、最大デプス変化量ｄｍａｘの最大値が、０．７５ｍｍ以上１．２ｍｍ以下に設定され、かつ、最大デプス変化量が０．４０ｍｍ以上の単位パネルについての最大デプス変化量の平均値が、０．５４ｍｍ以上０．７５ｍｍ以下の範囲に設定することもできる。
最大デプス変化量が０．４ｍｍ以上の単位パネルについての最大デプス変化量ｄｍａｘの平均値としては、好ましくは、０．５７ｍｍ以上０．７５ｍｍ以下に設定される。
このように最大デプス変化量の最大値と平均値を用いることにより、凹凸が大きくなって視覚的効果が高く、安定して大きな復元音を生じる陽圧缶を実現することができる。
【００１４】
［多面体壁４の角数と最大デプス変化量ｄｍａｘの関係］  
最大デプス変化量ｄｍａｘは、単位パネル５が大きいほど、大きくなる傾向にある。単位パネル５の大きさは、缶胴２１の胴径が同じであれば、図１（Ｃ）に示した横断面の角数によって幾何学的に決まり、角数が多いほど最大デプス変化量ｄｍａｘが小さくなる。逆に角数が少ないほど、単位パネル５が大きくなって変形しやすく、最大デプス変化量ｄｍａｘが大きくなる。たとえば、缶胴径が５０〜７０ｍｍの範囲の場合、１１角、１２角程度に設定すれば、最大デプス変化量ｄｍａｘの最大値を、０．７５ｍｍ以上１．２ｍｍ以下の範囲に設定することができる。また、最大デプス変化量が０．４０ｍｍ以上の単位パネルについての最大デプス変化量の平均値について、０．５４ｍｍ以上０．７５ｍｍ以下の範囲に設定することができる。
特に、１１角、１２角で、単位パネル５の面積を、１３０ｍｍ２以上で１８０ｍｍ２以下に設定することが好ましい。もっとも、最大デプス変化量ｄｍａｘが上記範囲に入っていれば、１３角であってもよい。
ここで、単位パネル５の面積は、平面的に展開した状態の面積、すなわち、単位パネル５の上方三角形部分５Ａと下方三角形部分５Ｂの面積を足し合わせた面積である。
【００１５】
［最大デプス変化量ｄｍａｘの調整］
最大デプス変化量ｄｍａｘは、たとえば、空缶時のパネルデプスを調整することによって調整可能である。横稜線５２を、缶の内側あるいは外側に円弧状に湾曲させることで空缶時のパネルデプスを調整することができる。すなわち、缶の内側に円弧状に湾曲させれば、最大デプス変化量ｄｍａｘは大きくなり、缶の外側に円弧状に湾曲させれば最大デプス変化量ｄｍａｘを小さくなる。
【００１６】
［評価試験］
以下に、復元音の評価試験について説明する。
評価試験は、単位パネルが菱形形状の次のサンプルを用意した。
（サンプル１）角数：１３角、パネル個数：９１個、空缶デプス：０．８１ｍｍ、単位パネル面積：１２６ｍｍ２、多面体壁面積：缶胴の６８％
（サンプル２）角数：１３角、パネル個数：９１個、空缶デプス０．８５ｍｍ、単位パネル面積：１２６ｍｍ２、多面体壁面積：缶胴の６８％
（サンプル３）角数：１３角、パネル個数：９１個、空缶デプス０．８９ｍｍ、単位パネル面積：１２６ｍｍ２、多面体壁面積：缶胴の６８％
（サンプル４）角数：１３角、パネル個数：９１個、空缶デプス０．９２ｍｍ、単位パネル面積：１２６ｍｍ２、多面体壁面積：缶胴の６８％
（サンプル５）角数：１１角、パネル個数：６６個、空缶デプス１．３８ｍｍ、単位パネル面積：１７７ｍｍ２、多面体壁面積：缶胴の７０％
（サンプル６）角数：１１角、パネル個数：６６個、空缶デプス１．４５ｍｍ、単位パネル面積：１７７ｍｍ２、多面体壁面積：缶胴の７０％
（試験条件）
評価試験の条件は、次の通りである。
・温度：５℃保管（液温は６．５〜８℃）、
・缶内圧：１２０〜１５０ｋＰａ
・缶胴の板厚０．０９２〜０．１２２ｍｍ
・缶胴径：６６．５〜６７ｍｍ
・缶高さ：１２１．８〜１２２．２ｍｍ
・内容量：３５０ｍｌ
（試験方法）
最大デプス変化量ｄｍａｘは、内圧作用状態（５°Ｃ：開封前の内圧が１２０〜１５０ｋＰａ）でのパネルデプスを測定し、次に内圧開放状態でのパネルデプスを測定し、その差を計測して求める。パネルデプスの測定方法は、図３（Ａ）に示すように、陽圧缶１のボトム側をバキュームにより水平に保持し、デジマチックインジゲータ１００（「デジマチック」は「株式会社ミツトヨ」の登録商標）の測定子１０１を、垂直に頂点５３に当ててその高さをゼロ点とし、陽圧缶１を中心軸線Ｎ方向にスライドさせ、デジマチックインジゲータ１００を横稜線５３の中点ｍの位置に合わせ、測定子１０１を横稜線５３の中点ｍに当てて高さを読み取って求める。
デジマチックインジケータ１００は、水平の台上に垂直に立設されるスタンド１０２に固定される支持腕１０３に支持され、姿勢を垂直に保持される。一方、スタンド１０２のデジマチックインジケータ１００の下方位置に、陽圧缶１を保持し、陽圧缶１の中心軸線Ｎに沿って水平に移動させる水平移動機構１０４が設けられている。水平移動機構１０４は、陽圧缶１の口部を保持する保持部１０５と、保持部１０５を水平に移動させるシリンダ機構や送りねじ機構等の伸縮部１０６とを備えた構成となっている。
パネルデプスは全ての単位パネル５で求め、各単位パネル５の内圧作用状態および内圧開放状態でのパネルデプスの差を最大デプス変化量ｄｍａｘとし、その最大値、さらに各単位パネルの最大デプス変化量ｄｍａｘの平均値を算出した。平均値は、最大デプス変化量ｄｍａｘが０．４ｍｍ未満の単位パネルを除いた単位パネルについての最大デプス変化量の平均値である。各サンプルは３缶ずつで、最大デプス変化量の最大値については、最大値の３缶の平均値を（ａｖｅ）、最大値を（ｍａｘ）、最小値を（ｍｉｎ）としている。また、各単位パネルの最大デプス変化量ｄｍａｘの平均値については、測定数３缶に対する平均値を（ａｖｅ）、最大値を（ｍａｘ）、最小値を（ｍｉｎ）としている。デジマチックインジゲータは、「株式会社ミツトヨ」製、型番ＩＤ−Ｃ１０１２、測定子１０１は、「株式会社ミツトヨ」製、型番１３７４１３を用いた。
一方、復元音の測定は、図３（Ｂ）に示すように、缶から４０ｃｍ離した位置で騒音計１２０を設置し、音の大きさを測定した。この４０ｃｍは、マイク１２１と陽圧缶１と間の距離Ｌである。４０ｃｍの意味は、実際の開口時の缶と耳のおおよその距離を意味している。また、騒音計１２０は、床置きとし、台１２２によって、マイク１２１の高さを、床から６０ｃｍ程度の高さに保持した。測定値は時間軸の波形データとして得られる。陽圧缶１を開口すると、始めにプルタブによる缶蓋の引き裂き音が発生し、次いでガス放出音、復元音の順に発生するので、復元音の部分の波形データの最大値を復元音の音圧レベルとしている。周波数重み付け特性はＡ特性で、時間重み付け特性はＦとしている。測定数は３缶で、その平均値を測定結果としている。
騒音計１２０としては、「リオン株式会社」製、型番ＮＬ−４２を用い、マイク１２１の先端にはウインドスクリーンＷＳ−１０を取り付けている。
【００１７】
（測定結果）
測定結果は、表１に示す通りである。
【００１８】
【表１】
2019131294.tif 000003
【００１９】
図４及び図５は、表１のデータをグラフ化したものである。図４（Ａ）には、最大デプ
ス変化量の最大値と復元音の大きさの関係、図４（Ｂ）は、単位パネルの内の最大デプス変化量が０．４ｍｍ以上のものの平均値と復元音の大きさの関係が示されている。図５（Ａ）には、すべての単位パネルの最大デプス変化量の平均値と復元音の大きさの関係、図５（Ｂ）には、最大デプス変化量が０．３ｍｍ以上のものの平均値と復元音の大きさの関係が示されている。各グラフにおいて、サンプル１〜サンプル６を、それぞれＳ１〜Ｓ６として示している。
まず、図４（Ａ）を参照して、最大デプス変化量の最大値と復元音の大きさの関係について説明する。
最大デプス変化量の最大値については、本発明のサンプル５（Ｓ５）とサンプル６（Ｓ６）については、少なくとも０．７４ｍｍ〜０．８６ｍｍと大きく変化して深い立体形状が得られると共に、かつ、７６ｄＢ以上の復元音を得られている。しかも、本発明のサンプル５，６の単位パネルは１１角で、比較例のサンプル１〜サンプル４の１３角に比べて大きいために、深いだけでなく広い範囲が大きく変化し、視覚的に変化が際立つので、注意を惹かれ、音についても敏感になって復元音を聞き取る効果が高い。
一方、比較例のサンプル３（Ｓ３）とサンプル４（Ｓ４）については、復元音は７５ｄＢを超えているものの、最大デプス変化量は、サンプル４（Ｓ４）で、０．７４ｍｍまでで、サンプル３では０．６６ｍｍまでである。また、サンプル１（Ｓ１）とサンプル２（Ｓ２）については、復元音についても７２ｄＢから７８ｄＢの間であり、７５ｄＢを超えない場合が生じている。
これらの結果から、最大デプス変化量ｄｍａｘの最大値で評価して、最大デプス変化量ｄｍａｘの最大値が、０．７５ｍｍ以上であれば、大きく変化して深い立体形状が得られると共に、かつ、７６ｄＢ以上の大きい復元音を得ることができる。スコア破断時の音圧レベルは、約６０ｄＢ、ガス放出音は、７０ｄＢであり、ガス放出音の７０ｄＢに対して５ｄＢ以上大きければ、音圧レベルは、ガス放出音に対して２倍程度大きくなり、明瞭となる。
なお、単位パネルが菱形形状の場合、断面角数が１１角と１３角の間、１２角のものも含まれる。また、１３角であっても、最大デプス変化量の最大値を０．７５ｍｍ以上とすれば、凹凸が深く鮮明となり、視覚的効果を高めると共に、大きな復元音を得ることができる。
［軸荷重強度］
また、最大デプス変化量を大きくするには単位パネルを大きくする必要がある。単位パネルを大きくすると、空缶時の軸荷重強度が低下する傾向にあり、上限を１．２ｍｍ程度に設定しておけば、空缶時の軸荷重強度を維持することができる。
【００２０】
次に、図４（Ｂ）、図５（Ａ）及び図５（Ｂ）を参照して、最大デプス変化量の平均値と復元音の大きさの関係について説明する。
図４（Ａ）のように最大デプス変化量の最大値を用いる場合、ばらつきが大きくなる可能性があるので、単位パネルの最大デプス変化量の平均値をとることを検討した。しかし、全ての単位パネルの最大デプス変化量の平均値をとると、図５（Ａ）に示すように、本発明のサンプル５（Ｓ５），サンプル６（Ｓ６）が、比較例のサンプル（Ｓ１）〜サンプル４（Ｓ４）よりも、最大デプス変化量の平均値は小さいという反対の結果となった。この結果を検討した結果、全ての単位パネルが完全に復元されるわけではなく、一部の単位パネルについて、復元が不完全なものがあるためということがわかった。そこで、０．３ｍｍ以上の最大デプス変化量となる単位パネルについての平均値、０．４ｍｍ以上の最大デプス変化量となった単位パネルについての平均値について算出し、グラフとしたのが図４（Ｂ）と図５（Ｂ）である。
０．３ｍｍ以上の単位パネルを抽出したものでは、図５（Ｂ）に示すように、サンプル５（Ｓ５）およびサンプル６（Ｓ６）が、サンプル１〜サンプル４と交錯する範囲となり、判然としないが、０．４ｍｍ以上の単位パネルを抽出すると、図４（Ｂ）に示すように、サンプル５（Ｓ５）およびサンプル６（Ｓ６）が、サンプル１〜サンプル４と交錯する
範囲を脱し、サンプル５（Ｓ５）およびサンプル６（Ｓ６）の最大デプス変化量（平均値）が、サンプル１〜サンプル４の最大デプス変化量（平均値）よりも大きく、明確に分かれることが分かった。
【００２１】
図４（Ｂ）によれば、最大デプス変化量の０．４ｍｍ以上の単位パネルの平均値は、本発明のサンプル５（Ｓ５）とサンプル５（Ｓ６）については、０．５７ｍｍ〜０．６７ｍｍであるのに対して、比較例のサンプルサンプル１（Ｓ１）〜サンプル４（Ｓ４）は、０．４８〜０．５３ｍｍであった。
これらの結果から、最大デプス変化量が０．４ｍｍ以上の単位パネルの平均値を、０．５４ｍｍ以上、好ましくは０．５７ｍｍ以上に設定すれば、完全に復元しない単位パネルの影響を除外することができ、最大値と同様に、本発明のサンプル５（Ｓ５）及びサンプル６（Ｓ６）を、比較例のサンプル１（Ｓ１）〜サンプル４（Ｓ４）と区別することができる。
このように平均値を用いることで、最大デプス変化量の最大値を用いる場合のように、閾値が大きくなりすぎることがなく、最大デプス変化量を安定して評価でき、一定以上の安定した復元音が得られる陽圧缶を実現できる。
また、空缶時の軸荷重強度を考慮すると、最大値で評価する場合の上限が１．２ｍｍに対して、平均値では、その６割程度として０．７５ｍｍ程度に設定しておけば、空缶時の軸荷重強度を維持することができる。
なお、単位パネルの最大デプス変化量の最大値が０．７５ｍｍ以上１．２ｍｍ以下の範囲で、かつ、最大デプス変化量が０．４ｍｍ以上となる単位パネルについての最大デプス変化量の平均値が、０．５４ｍｍ以上０．７５ｍｍ以下の範囲を満たすように設定することもできる。
このようにすれば、最大デプス変化量が安定し、しかも最大値が大きく、より大きな安定した復元音が得られる陽圧缶を実現できる。
なお、多面体壁を構成する単位パネルについては、上記実施形態１の屈曲した菱形形状に限られず、折り構造によって、缶胴の内方に窪んだ形状で、缶胴に作用する内圧によって窪みが小さくなる方向に変形し、缶蓋の開封時に元の形状に復元する種々のパターンに適用可能である。
【符号の説明】
【００２２】
１    陽圧缶、
２    缶本体
２１    缶胴、２２    ネック部、２３    底部、
３    缶蓋
４    多面体壁
５    単位パネル
５Ａ    上方三角形部分、５Ｂ    下方三角形部分
５１    斜め稜線、５２    横稜線、５３（５３ａ〜５３ｄ）    頂点
５０  パネル列
６        ：タブ
１００    デジマチックインジケータ
１２０    騒音計
Ｍ        中心面
Ｎ        中心軸線
ｄｍａｘ  最大デプス変化量
ｍ        横稜線の中点
ｍ２      パネル中心
【図１】
2019131294.tif 000004
【図２】
2019131294.tif 000005
【図３】
2019131294.tif 000006
【図４】
2019131294.tif 000007
【図５】
2019131294.tif 000008